(57)【要約】      （修正有）【課題】雨の日、濡れた傘のため乗り物等では他人の衣服等をぬらし足元がびしょびしょになり、他人にめいわくを掛ける。又、デパート、スーパーではそれを解決する為使い捨てビニールのゴミが大量に出る。【解決手段】傘の中に傘カバーの入る収納袋を取り付ける事により、傘を開いたら傘カバーを収納袋に入れ、傘をたたんだらその収納袋から傘カバーを取り出して傘を入れ、傘カバーを肩に掛けたり、腕に掛けたりして持ちやすくした。【選択図】図４
2005237905.tif 000002
【特許請求の範囲】
【請求項１】
傘カバー１は傘６の出し入れを容易にする為、２の位置で縫い止める事に依り、出し入れ口を大きく開く様に成っている。又、３の位置に４の紐を通す様にし、その先には５のウッドビーズがついている。ウッドビーズは紐が３の中に入り込まない様にするためで、ウッドビーズの他に紐止め等で代用しても良い。
尚、傘カバーは、水が漏れない防水布で出来ている。４の紐を片方に引く事により傘カバーを肩に掛ける事が出来る。又、両方から４の紐を引くと紐は短く２本になり腕に掛ける事が出来る。
【請求項２】
傘カバー１の収納袋は、７と８の防水布から出来ている。７と８の重ねた部分をマジックテープ９で止め、１０と１０、１１と１１を接着する事に依り、たたんだ傘カバーの出し入れが可能になる。取外しの簡単なフックを１２の場所に取り付けている。１３、１４は紐がついている。紐の代わりにマジックテープ、ボタン，フック等を取り付けても良い。
【請求項３】
８本ある傘の受骨内の２本に傘の収納袋を取り付ける。１５、１６の受骨の位置にフックを引っかけるための紐を縫い付ける。その紐に１２のフックを引っかける。１３の紐は１８に、１４の紐は１９の位置に取り付ける。又、濡れた傘カバーを収納した時に傘カバーの水が、受骨に取り付けた収納袋から漏れない様にする為、マジックテープ９のついた収納袋７、８を傘の上ロクロ側に取り付ける。
【発明の詳細な説明】
【発明の詳細な説明】
［技術分野］
【０００１】本発明は、雨にぬれた長い傘、又は折り畳み傘に依って他の人に迷惑を掛けない為の傘カバーと収納袋である。
［技術背景］
【０００２】従来の傘カバーは、使った後の傘をきちっと畳まないと傘カバーに入らない。しかも、下が空いているので水が漏れ役にたたない。それに、傘を使った時その傘カバーが邪魔になる。
【０００３】スーパー等では、濡れた傘用に使い捨てのビニールを用意している。日本中で１回限りの使い捨てビニールゴミは膨大な量になる。又、乗り物等では、濡れた傘が、他人の洋服等につき迷惑であり、傘の手元も痛くて持ちづらい。
［発明の開示］
［発明が解決しようとする課題］
【０００４】現在、傘を買った時についている傘カバーは、お洒落用で雨の日の濡れた傘を入る為のものではない。濡れた傘をたたんで入れるのは、手間もかかり手が濡れ、その上傘カバーの下が空いているので水が漏れ役にたたない。そのため、ほとんど使われていない。
［課題を解決するための手段］
【０００５】本発明は傘に水が漏れない傘カバーをつけ、傘を使っている時は傘カバーが不用になり邪魔になるので、傘に取り付けた収納袋に収納する。
【０００６】請求項２に記載の傘カバーの収納袋はマジックテープのついた傘の出入り口の方を傘の上ロクロ側に取り付ける事に依り、濡れた傘カバーを収納袋に入れても雨水がたれずに、頭や衣類をぬらすことがない。
請求項２の傘カバーの収納袋は、１２のフックを付ける事に依り、折り畳み傘の受骨が小さく収納しにくい場合でも、受骨１５、１６にフックを引っかける為の紐を付ける事によりフックの取り付け、取外しが簡単になり傘カバーの収納が容易に出来る。
【０００７】傘カバー、収納袋を傘と同じ素材、同一の柄にする事に依り、収納袋を取り付けてもデザイン上、気にならない。
［発明を実施するための最良の形態］
【０００８】傘カバーは、傘の使用時には収納袋に納め、乗り物、又は、建物の中に入る時は、濡れた傘を傘の受骨についた収納袋から傘カバーを取り出し、そのまま傘を収納するため従来の様に濡れた傘を気にする事なく手に持ち、又は肩に掛ける事が出来る。
［実施例１］
【０００９】図１は傘カバーの傘が入っていない場合である。傘を入れやすくする為、両方が大きく開くようになっている。３の部分に紐を通し両方から引っ張れる様にする。
［実施例２］
【００１０】図３のように両方から引っ張れば腕に掛ける事が出来、又、図４のように片方から紐を引っ張り１本にすれば肩に掛ける事が出来る。
［実施例３］
【００１１】傘カバーのいらない時は、図８の受骨に取り付けた図７の収納袋に入れて置く事が出来る。
【図面の簡単な説明】
【００１２】  ［図１］
傘が入っていない状態の傘カバーである。
［図２］
傘カバーが大きく開く様子を書いたものである。
［図３］
傘カバーに傘を入れ両方から紐を引き腕に掛けられる様にした図である。
［図４］
傘カバーに傘を入れ肩に掛けられる様にした図である。
［図５］
折り畳み傘を傘カバーに収納した図である。
［図６］
傘カバー収納袋を広げた図である。
［図７］
傘カバー収納袋である。
［図８］
傘カバーを傘の受骨に取り付けた図である。
［図９］
傘の受骨にフックを引っかける為の紐を取り付けた図である。
［図１０］
傘カバーを傘に取り付け、内側から見た図である。
［符号の説明］【００１３】      １    防水布
２    縫い止
３    防水布
４    紐
５    ウッドビーズ
６    傘
７    防水布
８    防水布
９    マジックテープ
１０    防水布
１１    防水布
１２    フック
１３    紐
１４    紐
１５    受骨
１６    受骨
１７    紐
１８    受骨
１９    受骨
【図１】
2005237905.tif 000003
【図２】
2005237905.tif 000004
【図３】
2005237905.tif 000005
【図４】
2005237905.tif 000006
【図５】
2005237905.tif 000007
【図６】
2005237905.tif 000008
【図７】
2005237905.tif 000009
【図８】
2005237905.tif 000010
【図９】
2005237905.tif 000011
【図１０】
2005237905.tif 000012
【手続補正書】
【提出日】平成16年3月8日(2004.3.8)
【手続補正１】
【補正対象書類名】特許請求の範囲
【補正対象項目名】全文
【補正方法】変更
【補正の内容】
【特許請求の範囲】
【請求項１】
傘カバー１は傘６の出し入れを容易にする為、２の位置で縫い止める事に依り、出し入れ口を大きく開く様に成っている。又、３の位置に４の紐を通す様にし、その先には５のウッドビーズがついている。ウッドビーズは紐が３の中に入り込まない様にするためで、ウッドビーズの他に紐止め等で代用しても良い。
尚、傘カバーは、水が漏れない防水布で出来ている。４の紐を片方に引く事により傘カバーを肩に掛ける事が出来る。又、両方から４の紐を引くと紐は短く２本になり腕に掛ける事が出来る。
【請求項２】
傘カバー１の収納袋は、７と８の防水布から出来ている。７と８の重ねた部分をマジックテープ９で止め、１０と１０、１１と１１を接着する事に依り、たたんだ傘カバーの出し入れが可能になる。取外しの簡単なフックを１２の場所に取り付けている。１３、１４は紐がついている。紐の代わりにマジックテープ、ボタン、フック等を取り付けても良い。
【請求項３】
８本ある傘の受骨内の２本に傘の収納袋を取り付ける。１５、１６の受骨の位置にフックを引っかけるための紐を縫い付ける。その紐に１２のフックを引っかける。１３の紐は１８に、１４の紐は１９の位置に取り付ける。又、濡れた傘カバーを収納した時に傘カバーの水が、受骨に取り付けた収納袋から漏れない様にする為、マジックテープ９のついた収納袋７、８を傘の上ロクロ側に取り付ける。
【請求項４】
収納袋を傘布に直接、接着する方法もある。傘布に取り付けた場合、傘カバーの出し入れ口にマジックテープ等を取り付ける。